(57)【要約】【課題】遊技者が飽き難く興趣性の高い遊技が行えると共に、初めてその機種で遊技を行う遊技者にも始動記憶表示が分かり易い遊技機とする。【解決手段】変動表示装置４と、変動表示装置の表示部４ａが臨む表示窓部２３０が形成されたセンターケース２００と、変動表示ゲームを制御する制御手段２０，４０とを備え、変動表示ゲームの表示結果に関連して特別の遊技価値を付与可能な遊技機である。センターケースは直ちに次の変動表示ゲームを開始できない状態における始動入賞口９への遊技球の入賞を始動記憶として上限数の範囲内で記憶表示可能な始動記憶表示部２２０を開口部２５０周縁に備えており、遊技盤１には始動入賞口から始動記憶表示部まで連続した始動記憶演出表示部２１０を配設し、制御手段は始動入賞が発生した場合始動記憶演出表示部にて始動入賞に関する演出表示を行う始動記憶演出表示部制御手段４０を備えた。【選択図】図１
2007098169.tif 000002
【特許請求の範囲】
【請求項１】
表示状態が変化可能な変動表示装置と、
該変動表示装置の表示部が臨む表示窓部が形成され、遊技盤前面から取り付けられるセンターケースと、
該センターケース下部に設けられた始動入賞口と、
該始動入賞口に遊技球が入賞したことに基づき前記変動表示装置に複数の識別情報による変動表示ゲームを表示させると共に、該変動表示ゲームの表示結果が予め定められた特別結果態様となった場合に遊技価値の付与として特別遊技状態を発生する制御を行う制御手段と、を備える遊技機において、
前記センターケースは、
該センターケース自体を遊技盤に取り付けるための取付基板と、
該取付基板に形成された開口部と、
該開口部から後方に連通し、後壁に前記表示窓部を底部として形成する表示窓枠と、
該開口部周縁に備えられ、直ちに次の変動表示ゲームを開始することができない状態における前記始動入賞口への遊技球の入賞を、始動記憶として上限数の範囲内で記憶された始動記憶数を識別可能に表示する始動記憶表示部と、
前記始動記憶表示部から連設して変動表示装置に連なる連設表示部と、を備え、
前記遊技盤には、
前記始動入賞口から始動記憶表示部まで連なる始動記憶演出表示部を連設し、
前記制御手段は、
該始動入賞口への遊技球の入賞を検出するための始動入賞球検出手段の検出結果に基づき、前記始動記憶演出表示部にて該始動入賞に関する演出表示を行う始動記憶演出表示部制御手段と、
前記始動記憶表示部に表示された最古の始動記憶表示を前記連設表示部を経て前記変動表示装置へと始動記憶表示が移動するように表示することで前記変動表示ゲームを開始する変動表示ゲーム開始制御手段と、を備えることを特徴とする遊技機。
【請求項２】
前記始動記憶演出表示部制御手段は、
前記始動入賞球検出手段の検出結果に基づき、前記始動記憶演出表示部において、前記始動入賞口に入賞してから一の始動記憶を示す始動記憶表示となるまでの過程を表示する始動記憶過程表示制御手段を備えることを特徴とする請求項１に記載の遊技機。
【発明の詳細な説明】
【技術分野】
【０００１】
本発明は、遊技機に関し、特に、直ちに次の変動表示ゲームを開始することができない状態における始動入賞口への遊技球の入賞を、始動記憶として上限数の範囲内で記憶表示可能な遊技機に関する。
【背景技術】
【０００２】
従来、遊技機として例えばパチンコ遊技機においては、遊技盤上に、複数の識別情報による変動表示ゲームを表示可能な表示装置（変動表示装置）と、始動入賞口を設け、該始動入賞口への遊技球の入賞に基づき、該変動表示装置に複数の識別情報を変動表示させることで変動表示ゲームを行うようにしたものが知られている。
【０００３】
前記変動表示ゲームとしては、識別情報として数字等からなる複数の図柄で構成される図柄列を、変動表示装置に形成された、例えば左、中、右の表示領域の各々で変動表示させることで行われ、変動表示ゲームの開始から所定時間経過した時点で、各表示領域の変動表示を例えば左、中、右の順に停止させて各々所定の図柄を停止表示することで結果を導出することとなっているものが挙げられる。
【０００４】
また、上記各表示領域における変動表示は、図柄列における順序に従って順次図柄を、例えばスクロールさせながら更新表示することで行われている。なお、この表示結果は、始動入賞時に抽出された乱数に基づき、例えば変動表示ゲームの開始当初で既に決定されていて、該複数の表示領域の変動表示は、既に決定されている表示結果と一致するように各図柄が停止制御される。
【０００５】
そして、変動表示ゲームが終了した際に複数の表示領域の各々に停止表示された各図柄が、予め定められた特別結果態様（大当り結果態様：例えば、「１，１，１」、「２，２，２」・・・等のぞろ目数字の何れか）を形成した場合に、特別の遊技価値の付与として特別遊技状態（大当り遊技状態）を発生させ、例えば遊技盤に設けられている変動入賞装置を開状態に変換することで、遊技者が多数の遊技球を獲得可能な状態となる。
【０００６】
また、変動表示ゲームが終了する間際、例えば左表示領域と中表示領域の変動表示が停止して、右表示領域の変動表示のみが行われている状態で、左と中に停止表示された図柄が前記特別結果態様と成り得るリーチ表示態様（例えば、「２，２，−」、−は未停止状態を表す）を形成してリーチ（リーチ状態）となった場合に、例えば右表示領域における変動表示の速度を低速にすると共にその変動表示時間を通常よりも長くするようなリーチ変動表示を行うことで、特別結果態様の成立（特別遊技状態の発生）に対する遊技者の期待感を高めるようにしたものも一般的となっている。
【０００７】
さらに、既に変動表示ゲームが行われている間や特別遊技状態が発生している間等の直ちに変動表示ゲームを開始できない期間中に始動入賞口へ遊技球が入賞した場合に、変動表示ゲームを実行可能な状態となるまで、変動表示ゲームを実行（開始）させる権利を、始動記憶として所定の上限数（例えば、４個）の範囲内で一時的に記憶する機能が備えられることも一般的となっており、せっかくの始動入賞口への遊技球の入賞が変動表示ゲームの実行に対して無効となることをある程度防止している。なお、このような遊技機では、記憶された始動記憶の数を遊技者が認識可能に表示する始動記憶表示部を備えている（例えば、特許文献１，２参照）。
【特許文献１】特開平９−２７６４９６号公報
【特許文献２】特開平１０−２４９００５号公報
【発明の開示】
【発明が解決しようとする課題】
【０００８】
しかし、前記したような従来の遊技機では、記憶された始動記憶に関しては、始動記憶表示部でその数を報知（表示）するのみであり、変動表示ゲームに面白みを与えることはなく、その結果、遊技が単調になりやすく、遊技者に飽きられる虞があった。
さらに、機種毎に始動記憶表示部の位置が異なり、始動記憶の表示も動きに乏しいことから、初めてその機種で遊技を行う遊技者には始動記憶の位置が分かり難いという不具合も生じていた。
【０００９】
この発明は、前記のような問題点を解決するためになされたもので、始動入賞及び始動記憶に関して、従来と異なる演出表示を行うことにより、遊技者が飽き難く興趣性の高い遊技を行うことができると共に、初めてその機種で遊技を行う遊技者にも始動記憶表示が分かり易い遊技機を提供することを目的とする。
【課題を解決するための手段】
【００１０】
以上の課題を解決するため、請求項１に記載の発明は、表示状態が変化可能な変動表示装置と、
該変動表示装置の表示部が臨む表示窓部が形成され、遊技盤前面から取り付けられるセンターケースと、
該センターケース下部に設けられた始動入賞口と、
該始動入賞口に遊技球が入賞したことに基づき前記変動表示装置に複数の識別情報による変動表示ゲームを表示させると共に、該変動表示ゲームの表示結果が予め定められた特別結果態様となった場合に遊技価値の付与として特別遊技状態を発生する制御を行う制御手段と、を備える遊技機において、
前記センターケースは、
該センターケース自体を遊技盤に取り付けるための取付基板と、
該取付基板に形成された開口部と、
該開口部から後方に連通し、後壁に前記表示窓部を底部として形成する表示窓枠と、
該開口部周縁に備えられ、直ちに次の変動表示ゲームを開始することができない状態における前記始動入賞口への遊技球の入賞を、始動記憶として上限数の範囲内で記憶された始動記憶数を識別可能に表示する始動記憶表示部と、
前記始動記憶表示部から連設して変動表示装置に連なる連設表示部と、を備え、
前記遊技盤には、
前記始動入賞口から始動記憶表示部まで連なる始動記憶演出表示部を連設し、
前記制御手段は、
該始動入賞口への遊技球の入賞を検出するための始動入賞球検出手段の検出結果に基づき、前記始動記憶演出表示部にて該始動入賞に関する演出表示を行う始動記憶演出表示部制御手段と、
前記始動記憶表示部に表示された最古の始動記憶表示を前記連設表示部を経て前記変動表示装置へと始動記憶表示が移動するように表示することで前記変動表示ゲームを開始する変動表示ゲーム開始制御手段と、を備えることを特徴とする。
【００１１】
ここで、「遊技機」には、パチンコ遊技機、アレンジボール遊技機、雀球遊技機、スロットマシンなどが含まれる。
「識別情報」には、数字、文字、記号及びキャラクタ、並びに色彩など、視覚により識別可能な識別図柄（識別標識）等が含まれる。
「変動表示ゲーム」とは、例えば、複数の図柄から構成される図柄列を、変動表示装置に形成された、複数の表示領域の各々で上から下に各図柄が移動するように変動表示させることで行われ、変動表示ゲームの開始から所定時間経過した時点で、各表示領域の変動表示を所定の順に停止させて各々所定の図柄を停止表示することで表示結果を導出するものが挙げられる。
「変動表示装置」は、液晶表示装置、ＣＲＴ（陰極線管）表示装置、多数の発光素子を配列した変動表示装置、回転ドラムを使用したメカ式の変動表示装置などの単体の装置であっても、また、これら装置の組み合わせでも良い。
「変動表示ゲームの表示結果が予め定められた特別結果態様」となるとは、例えば、変動表示ゲームにおいて、複数の図柄が「２，２，２」や「７，７，７」のぞろ目などの予め定められた特定の組み合わせ状態で停止する表示結果となる場合が挙げられる。
「遊技価値の付与として特別遊技状態を発生する」とは、通常遊技時に比べて多数の遊技球（遊技価値）を獲得し易い遊技状態を発生させることをいう。例えば、第１種のパチンコ遊技機における大入賞口（特別変動入賞装置ともいう。）の開放状態などが挙げられる。
【００１２】
この請求項１に記載の発明によれば、始動入賞及び始動記憶に関して、従来と異なる演出表示を行う始動記憶演出表示部を備えたことにより、遊技者が飽き難く興趣性の高い遊技を行うことができる。
また、始動入賞口と始動記憶表示部が始動記憶演出表示部を介して連続しているため、初めてその機種で遊技を行う遊技者にも始動記憶表示が分かり易い遊技機とすることができる。
また、センターケースが、始動記憶表示部から連設して変動表示装置に連なる連設表示部を備えており、始動記憶表示部に表示された最古の始動記憶表示を連設表示部を経て変動表示装置へと始動記憶表示が移動するように表示することで変動表示ゲームを開始するため、より一層変動表示ゲームに対する遊技者の関心を強くさせることができ、遊技の興趣性を高めることができる。
【００１３】
請求項２に記載の発明は、請求項１に記載の遊技機であって、前記始動記憶演出表示部制御手段は、
前記始動入賞球検出手段の検出結果に基づき、前記始動記憶演出表示部において、前記始動入賞口に入賞してから一の始動記憶を示す始動記憶表示となるまでの過程を表示する始動記憶過程表示制御手段を備えることを特徴とする。
【００１４】
この請求項２に記載の発明によれば、始動入賞口を直接見ていなくても始動記憶演出表示部を見ることにより、始動入賞口への遊技球の入賞があったことを確認することができる。また、始動記憶表示部を直接見なくても始動記憶演出表示部を見ることで始動記憶が１つ記憶されたことを確認することができる。
【発明の効果】
【００１５】
請求項１に係る遊技機によれば、始動入賞及び始動記憶に関して、従来と異なる演出表示を行う始動記憶演出表示部を備えたことにより、遊技者が飽き難く興趣性の高い遊技を行うことができる。
また、始動入賞口と始動記憶表示部が始動記憶演出表示部を介して連続しているため、初めてその機種で遊技を行う遊技者にも始動記憶表示が分かり易い遊技機とすることができる。
また、センターケースが、始動記憶表示部から連設して変動表示装置に連なる連設表示部を備えており、始動記憶表示部に表示された最古の始動記憶表示を連設表示部を経て変動表示装置へと始動記憶表示が移動するように表示することで変動表示ゲームを開始するため、より一層変動表示ゲームに対する遊技者の関心を強くさせることができ、遊技の興趣性を高めることができる。
また、請求項２に係る遊技機によれば、始動入賞口を直接見ていなくても始動記憶演出表示部を見ることにより、始動入賞口への遊技球の入賞があったことを確認することができる。また、始動記憶表示部を直接見なくても始動記憶演出表示部を見ることで始動記憶が１つ記憶されたことを確認することができる。
【発明を実施するための最良の形態】
【００１６】
以下、この発明に係る実施の形態について、図面を参照しながら説明する。
【００１７】
図１は、本発明に係る遊技機の一形態として例示するパチンコ遊技機の遊技盤を示す正面図である。
【００１８】
この遊技盤１のガイドレール２で囲まれた遊技領域１ａでは、図示しない発射装置によって発射された遊技球が流下するようになっている。また、前記遊技領域１ａには、遊技球の通過により普通変動表示ゲームの始動条件を付与する普図始動ゲート６，６、普通変動表示ゲームを表示する普通図柄（普図）表示装置７、普通図柄表示装置７での普通変動表示ゲームの結果如何によって開閉部材９ａ，９ａを開（遊技者にとって有利な状態）閉（遊技者にとって不利な状態）させる始動入賞口（特図始動入賞口）を兼ねた普通変動入賞装置９、始動入賞口への遊技球の入賞に基づき変動表示ゲーム（ここでは特別変動表示ゲーム）を表示する表示装置（変動表示装置）としての特別図柄（特図）表示装置４、特別図柄表示装置４での特別変動表示ゲームの結果如何によって大入賞口５ｂを閉じた状態（遊技者にとって不利な状態）から開放状態（遊技者にとって有利な状態）に変換するサイクル遊技を行う特別変動入賞装置５、一般入賞口８，…、サイドランプ１２，１２、風車と呼ばれる打球方向変換部材１４，…、多数の障害釘（図示省略）などが配設されている。遊技領域１ａの最下端部中央にはアウト球を回収するためのアウト穴１３が設けられている。
【００１９】
普通図柄表示装置（普図表示器）７は、例えば、７セグメント型のＬＥＤなどによって構成され、複数の普通図柄（例えば、図柄、数字、記号などの識別情報）を変動表示させる普通変動表示ゲームを行うことが可能となっている。ここでは、前記普通図柄表示装置７は、特別変動入賞装置５の開閉扉５ａの左側に設けられている。また、前記特別変動入賞装置５の開閉扉５ａの右側には、普図始動ゲート６，６を遊技球が通過（普図の始動入賞）して普通変動表示ゲームが未処理となっている未処理回数（始動記憶数）を表示する普図始動記憶表示器（普図記憶表示器）６ａが配設されている。なお、ここでは、普図の始動記憶の上限数は４個となっており、普図始動記憶表示器６ａは４個のＬＥＤで構成されている。
【００２０】
普通変動入賞装置９は、この実施の形態では表示装置（特別図柄表示装置）４の下方（すなわち、後述するセンターケース２００下部）の遊技領域１ａに配設されており、左右一対の開閉部材９ａ，９ａを具備している。この開閉部材９ａ，９ａは、普段は遊技球が１個流入可能な程度の間隔で閉じた状態（遊技者にとって不利な状態）を保持しているが、普通図柄表示装置７における普通変動表示ゲームの結果として所定の結果態様（例えば、「７」等の当り結果態様）が表示された場合には、普通図柄の当りとなって、普電ソレノイド６ｃ（図２）の駆動により逆「ハ」の字状に開いて普通変動入賞装置９に遊技球が流入し易い状態（遊技者にとって有利な状態）に変換されるようになっている。
【００２１】
この実施の形態の普通変動入賞装置９は、遊技球の流入（入賞）に基づき前記特別変動表示ゲームの始動条件を成立させる特図の始動入賞口も兼ね、その内部（入賞領域）に、始動入賞口への遊技球の入賞を検出するための始動入賞球検出手段としての特図始動センサ９ｂ（図２）を備えている。また、前記普図始動ゲート６内には、該普図始動ゲート６を通過した遊技球を検出するための普図始動センサ６ｂ（図２）が設けられている。
【００２２】
変動表示装置（特別図柄表示装置）４は、例えば、液晶表示装置（ＬＣＤ：Liquid Crystal Display）からなる表示部４ａを備えている。前記表示部４ａは、その表示状態が変化可能となっており、ここでは、前記普通変動入賞装置９への遊技球の入賞（始動条件の成立）に基づき、複数の特別図柄（例えば、図柄、数字、記号などの識別情報）を変動表示可能となっている。また、前記表示部４ａには複数の変動表示領域を有し、該表示領域の各々に一連の図柄を順次変動表示させた後に停止させることで、表示結果が予め定められた特別結果態様となった場合に遊技価値の付与として特別遊技状態（大当り遊技状態）を発生可能とする変動表示ゲーム（特別変動表示ゲーム）の表示が可能となっている。
【００２３】
また、この実施の形態では、既に特別変動表示ゲームが行われている間や特別遊技状態が発生している間等の直ちに次の特別変動表示ゲームを開始させることができない状態中に特図始動入賞口を兼ねた普通変動入賞装置９へ遊技球が入賞した場合には、次の特別変動表示ゲームが実行可能な状態となるまで、始動記憶手段（ここでは、遊技制御装置２０が相当する）が、前記普通変動入賞装置９への遊技球の入賞によって発生した特別変動表示ゲームを実行（開始）させるための権利を、始動記憶として記憶することが可能となっている。
なお、この実施の形態の普通変動入賞装置９は、遊技球を遊技盤１の裏側に流入させるタイプの始動入賞口であって、その内部（入賞領域）に特図始動センサ９ｂ（図２）を備えており、当該特図始動センサ９ｂで遊技球の入賞を検出している。
また、ここでは、前記始動記憶は所定の上限数の範囲内で記憶可能となっており、前記期間中、普通変動入賞装置９に上限数より多く遊技球が入賞しても始動記憶数は上限数より多くならないようにされている。
【００２４】
そして、特別図柄表示装置４の上部には、普通変動入賞装置９に遊技球が入賞して特別変動表示ゲームが未処理となっている未処理回数（始動記憶数）を点灯表示する特図始動記憶表示部（始動記憶表示部）２２０が設けられている。なお、この実施の形態では、始動記憶の上限数は４個となっており、始動記憶表示部２２０は４個備えられている。ここでは、各始動記憶表示部２２０は複数色に点灯可能なように複数のＬＥＤを有している。そして、始動記憶が１増加する毎に１の始動記憶表示部が点灯表示され、始動記憶が１消化される毎に１の始動記憶表示部が消灯するようになっている。
【００２５】
この実施の形態では、図１及び図４に示すように、遊技盤１上に、変動表示装置４の表示部４ａが臨む表示窓部２３０が形成されたセンターケース２００が、前記遊技盤１前面から取り付けられており、このセンターケース２００に前記した始動記憶表示部２２０が備えられている。また、前記遊技盤１には、始動入賞口９から始動記憶表示部２２０まで連なる始動記憶演出表示部２１０を連設している。特に、ここでは、前記始動記憶演出表示部２１０及び始動記憶表示部２２０は、変動表示装置４を囲むように形成されている。
なお、前記始動記憶演出表示部２１０は、遊技盤１に配設される他に、センターケース２００と一体に備えられていても良い。
【００２６】
ここでは、図５に示すように、前記センターケース２００は、該センターケース２００自体を遊技盤１に取り付けるための取付基板２４０と、該取付基板２４０に形成された開口部２５０と、該開口部２５０から後方に連通し、後壁に前記表示窓部２３０を底部として形成した表示窓枠２６０と、該開口部２５０周縁に備えられ、直ちに次の変動表示ゲームを開始することができない状態における前記始動入賞口９への遊技球の入賞を、始動記憶として上限数の範囲内で記憶された始動記憶数を識別可能に表示する始動記憶表示部２２０と、を備えている。
【００２７】
さらに、ここでは、始動入賞口９から始動記憶演出表示部２１０を介して始動記憶表示部２２０まで、連続した１の経路となっている。そして、前記始動記憶演出表示部２１０にて始動入賞に関する演出表示を行う始動記憶演出表示部制御手段（ここでは演出制御装置４０の装飾制御手段が相当する）が備える始動記憶過程表示制御手段は、前記始動入賞球検出手段（特図始動センサ９ｂ）の検出結果に基づき、一の始動入賞の発生を示す始動入賞表示（演出表示）２１０Ａ（図６の（ａ），（ｂ））が、前記始動入賞口９から前記始動記憶演出表示部２１０の予め定められた経路を通って前記始動記憶表示部２２０まで移動し、一の始動記憶を示す始動記憶表示２２０Ａ（図６の（ｃ），（ｄ），（ｅ））となるまでの過程を表示制御するようになっている。
なお、ここでは、始動入賞口から始動記憶表示部２２０に至る経路は、１本のみとなっていたが、これに限らず、複数の経路を有していて、所定の条件によりその中から１の経路を選択するようになっていても良い。また、そのときの経路選択条件として、始動記憶に設定された信頼度によって経路が変わるようになっていても良い。
【００２８】
さらに、この実施の形態では、所定遊技条件の成立に基づき遊技者にとって有利な特定遊技状態を発生する特定遊技状態発生手段（ここでは遊技制御装置２０が相当する）を備えている。所定遊技条件の成立としては、例えば、特別変動表示ゲームの表示結果が特別結果態様（ぞろ目等）となる場合において、さらに当該特別結果態様が奇数図柄のぞろ目である場合等が挙げられる。なお、この実施の形態では、特定遊技状態は、特別遊技状態終了後に発生するようになっている。
【００２９】
特定遊技状態としては、例えば、特別遊技状態（大当り遊技状態）の終了後に、普通変動入賞装置９の開閉部材９ａ，９ａが開状態に変換する機会を増加させたり（例えば、一の変換機会（例えば、普通変動表示ゲームにおいて普通図柄の当りが１回導出されたとき）における開状態への変換回数を１回から３回に増加させる）、或いは、開閉部材９ａ，９ａが開状態に変換する期間を長くする（例えば、０．５秒から５秒に変更する）ことで、始動入賞口としての普通変動入賞装置９へ遊技球が入賞し易いようにした始動入賞容易化状態を発生させるようにしたものがある。また、特別遊技状態の発生確率が上がる（例えば、１／３００から１／５０に確率が上がる）特図確率変動状態、普図の当りの発生確率が上がる（例えば、１／１０から９／１０に確率が上がる）普図確率変動状態、普通変動表示ゲームの変動時間が通常時よりも短縮される（例えば、３０秒から５秒に短縮される）ことで単位時間当たりに普通変動入賞装置が開状態に開放される機会を増加させた普図時短状態等がある。なお、特定遊技状態としては、前記した複数の状態の何れかを組み合わせて行っても良い。また、特定遊技状態には、特別変動表示ゲームの実行回数や時間等で期限設定がされているパターンと、特別遊技状態が所定回数（例えば１回）発生するまで続けられるパターンの双方が含まれる。
【００３０】
特別変動入賞装置５はアタッカー形式の開閉扉（可動部材）５ａによって開閉される大入賞口５ｂを備えている。また、開閉扉５ａは、大入賞口ソレノイド５ｅ（図２）の駆動により、その上端側が手前側に倒れる方向に回動して開放可能になっている。そして、前記普通変動入賞装置９への遊技球の入賞に基づいて行われる、特別図柄表示装置４の表示部４ａにおける特別変動表示ゲームの表示結果（特別図柄表示装置４の表示部４ａの各表示領域における特別図柄の停止態様）が予め定められた特別結果態様（例えば、特別図柄が「６，６，６」のぞろ目等の特定の組合せ態様）となって特別遊技状態（大当り遊技状態）が発生した場合に、大入賞口５ｂを閉じた状態（遊技者にとって不利な状態）から多数の遊技球を獲得し易い開放状態（遊技者にとって有利な状態）に変換するサイクル遊技が行われるようになっている。
【００３１】
この大入賞口５ｂの内部（入賞領域）には、該大入賞口５ｂに入った遊技球のうち一般入賞領域に流入した遊技球を検出するためのカウントセンサ５ｃ（図２）と、大入賞口５ｂに入った遊技球のうち継続入賞領域（Ｖ入賞領域，特別入賞口ともいう）に流入した遊技球を検出するための継続センサ（特別入賞口センサ）５ｄ（図２）及び特別入賞口に遊技球が流入した後は遊技球を前記特別入賞口に流入させないようにして特別入賞口への遊技球の入賞率を調整する入賞率調整用ソレノイド（図示省略）等が配設されている。
また、各一般入賞口８，…の内部（入賞領域）には、該一般入賞口８，…に入った遊技球を検出するための入賞口センサ８ａ，…（図２）が配設されている。
【００３２】
図２は、このパチンコ遊技機に設置された制御手段、特にここでは、主制御装置としての遊技制御装置２０と従制御装置としての演出制御装置４０等の他の制御装置で構成される制御手段の主要制御ブロック図である。
【００３３】
図２に示すように、パチンコ遊技機は、遊技領域１ａにおける遊技に関する統括的な制御を行う遊技制御装置（主制御装置）２０を備えている。この遊技制御装置２０は、演出制御装置４０等の他の制御装置（従制御装置）と共に、本発明の制御手段を構成する。また、演出制御装置４０は、本発明の始動記憶演出表示部制御手段等として機能する。
【００３４】
遊技制御装置２０は、内部にＣＰＵ（Central Processing Unit）２１ａ、ＲＡＭ（Random Access Memory）２１ｂ及びＲＯＭ（Read Only Memory）２１ｃを備えた遊技用マイクロコンピュータ２１、入力Ｉ／Ｆ２３ａ、出力Ｉ／Ｆ２３ｂ、発振器２２等により構成されて、遊技に関する統括的な制御を行うものである。
【００３５】
ＣＰＵ２１ａは、制御部、演算部を備え、演算制御を行う他、特別変動表示ゲーム（変動表示ゲーム）や普通変動表示ゲームのゲーム内容決定に関与する各種乱数値なども生成している。
ＲＡＭ２１ｂは、普通変動入賞装置９内に設けられた特図始動センサ９ｂのオン信号の記憶（特図始動記憶）及び普図始動ゲート６，６に設けられた普図始動センサ６ｂのオン信号の記憶（普図始動記憶）の記憶領域、ＣＰＵ２１ａで生成される各種乱数値の記憶領域、各種データを一時的に記憶する記憶領域、並びに、ＣＰＵ２１ａの作業領域を備えている。
ＲＯＭ２１ｃには、遊技上の制御プログラムや制御データが書き込まれている他、特別変動表示ゲーム（変動表示ゲーム）や普通変動表示ゲームのゲーム内容を決定するための各種判定値などが書き込まれている。
【００３６】
また、入力Ｉ／Ｆ２３ａには、図示しないローパスフィルタ及びバッファーゲートを介して、特図始動センサ９ｂ、普図始動センサ６ｂ，６ｂ、継続センサ５ｄ、カウントセンサ５ｃ、入賞口センサ８ａ，…などが接続され、それら各センサから出力される検出信号が入力Ｉ／Ｆ２３ａを介してＣＰＵ２１ａに出力されるようになっている。
【００３７】
一方、出力Ｉ／Ｆ２３ｂには、送信手段として機能するＣＰＵ２１ａから出力される各種の制御信号が入力され、それら制御信号は、出力Ｉ／Ｆ２３ｂから、図示しない出力ポート及びドライバーを介して、普図表示器（普通図柄表示装置）７、普電ソレノイド６ｃ、普図始動記憶表示器６ａ（図２では図示省略）、特図始動記憶表示部２２０（図２では図示省略）、大入賞口ソレノイド５ｅ、入賞率調整用ソレノイド（図示省略）、排出制御装置（図示省略）、演出制御装置４０、盤用外部情報出力部８１などに出力されている。なお、ここでは、表示制御手段、装飾制御手段、音制御手段等の制御手段が１つに統合されて、演出制御装置４０を構成している。
【００３８】
前記排出制御装置３０は、遊技制御装置２０のＣＰＵ２１ａから出力される賞球制御指令やカードユニット（図示省略）等から出力される貸球制御指令に基づいて、球排出ユニット（図示省略）から所要数の遊技球（賞球、貸球）を排出させる制御を行うものである。
【００３９】
前記演出制御装置４０の装飾制御手段は、遊技制御装置２０から出力される装飾制御指令に基づいて、各種装飾ランプ・ＬＥＤ（例えば、サイドランプ１２）の発光状態を制御するものである。また、前記演出制御装置４０の音制御手段は、遊技制御装置２０から出力される音制御指令に基づいて、スピーカから出力される効果音や音声の制御を行うものである。
また、盤用外部情報出力部８１は、遊技制御装置２０からパチンコ遊技機の外部に対し出力される外部情報を中継するものである。
【００４０】
遊技制御装置２０のＣＰＵ２１ａは、例えば、特図始動センサ９ｂからの検出信号（始動信号）の入力等に基づき、ＲＡＭ２１ｂに記憶されている乱数値を抽出し、該乱数値と、予めＲＯＭ２１ｃに記憶されている判定値との比較により、遊技者に対する遊技価値の付与として特別遊技状態を発生するか否かを決定する。
また、該決定に基づいて、演出制御装置４０に表示制御信号（表示制御指令）を送信するようになっており、当該表示制御信号に基づき、演出制御装置４０のうち表示に関する制御を行う表示制御手段が、変動表示装置４に変動表示ゲームを行わせたり、演出制御装置４０のうち音に関する制御を行う音制御手段が、スピーカ６１より出力される効果音を制御したり、演出制御装置４０のうち装飾に関する制御を行う装飾制御手段（発光制御手段）が、サイドランプ１２，１２等の各種装飾ランプ・ＬＥＤ（発光手段）５１の点灯・点滅状態を制御したりする。
さらに、遊技制御装置２０のＣＰＵ２１ａは、入賞口スイッチ８ａ，…、特図始動センサ９ｂ、カウントスイッチ５ｃから入賞球の検出信号が入力された場合に、それら検出信号に基づいて、排出制御装置３０に賞球データを送って所要数の賞球を排出させる制御も行う。
【００４１】
演出制御装置４０の表示制御手段は、遊技制御装置２０からの指令（例えば始動入賞データ）に基づき特別図柄表示装置４の表示部４ａの表示制御を行うものであり、ＣＰＵ（Central Processing Unit）、ＲＯＭ（Read Only Memory）、ＲＡＭ（Random Access Memory）及びＤＭＡＣ（Direct Memory Access Controller）、発振器、ＶＤＣ（Video Digital Controller）、フォントＲＯＭ、ＶＤＣの電気信号（入力信号）を光信号（出力信号）に変換させる際のγ補正を行うγ補正回路、インターフェイスなどを備えている。
【００４２】
ＣＰＵは、その内部に制御部、演算部、各種カウンタ、各種レジスタなどを備え、遊技制御装置２０とインターフェイスを介して接続され、遊技制御装置２０の制御下、特別図柄表示装置４の表示制御を行っている。その制御データは発振器からのパルスに同期させてＶＤＣに送られる。
ＲＯＭには、特別図柄表示装置４の表示制御を行うための表示制御プログラムや表示制御データ等が書き込まれている。
ＲＡＭは、各種データを一時的に記憶する記憶領域とＣＰＵの作業領域などを備えている。
ＤＭＡＣは、遊技用マイクロコンピュータ２１からの表示制御情報（指令）に対し、ＣＰＵとのアクセスなしで直接各メモリーやＶＤＣ等の間で表示制御データのやり取りを行っている。
【００４３】
フォントＲＯＭには、特別変動表示ゲーム用の図柄の表示データ、背景画像の表示データ、遊技内容を説明する文字の表示データなどが書き込まれている。なお、リーチ状態画像等、リーチを表示するためのリーチ表示データも記憶手段としてのフォントＲＯＭに記憶されている。
ＶＤＣの内部には、スプライトＲＡＭ、パレットＲＡＭ、Ｖ−ＲＡＭ等が備えられていて、次のような画像データ制御を行っている。
即ち、ＶＤＣは、ＣＰＵからの指令信号を受けて、フォントＲＯＭから特別図柄や背景画像の表示データを取り出して編集する。そして、その指令信号に含まれる配色データに基づいて、その編集した画像データに対し配色の指定をパレットＲＡＭで行い、次いでスプライトＲＡＭにて特別図柄やキャラクタ等の画像編集を行う。
この編集された画像データ信号はγ補正回路で補正された後、Ｖ＿ＳＹＮＣやＨ＿ＳＹＮＣと同期させて特別図柄表示装置４に送信され、この特別図柄表示装置４の表示部４ａにおいて表示される。
【００４４】
なお、遊技制御装置（主制御装置）２０を始めとするこれら各制御手段（制御装置）は、電源供給装置９０から電源を供給されている。また、電源供給装置９０内には、前記電源供給装置９０からの通常の電源供給がストップした際に作動するバックアップ電源９１が備えられている。
【００４５】
この実施の形態に係るパチンコ遊技機は、上記のように構成されていて、遊技制御装置２０と演出制御装置４０とにより、例えば、次のような遊技制御が行われる。
【００４６】
まず、当該パチンコ遊技機に電源が投入されると、図３に示すように、客待ちの状態（ステップＳ０）となる。
この客待ちの状態では、変動表示装置４の表示部４ａにおいて、例えば、客寄せ用のデモンストレーション表示等が行われていたり、左右に並んだ通常の表示領域の各々に特別図柄が停止状態で表示されていたりする。
【００４７】
この状態で、遊技領域１ａ中に打ち込まれた遊技球が普通変動入賞装置９（特図始動入賞口）に入賞すると、変動状態（ステップＳ１）に遷移する。
即ち、遊技制御装置２０のＣＰＵ２１ａでは、普通変動入賞装置９内部の特図始動センサ９ｂから出力される検出信号に基づいて、ＲＡＭ２１ｂに記憶されている特図に関する各種乱数値（所定周期で記憶更新されている）を抽出し、該抽出した乱数値と、予めＲＯＭ２１ｃに記憶されている特図に関する各種判定値との比較により、特図の変動表示ゲームの内容（例えば、特別遊技状態（大当り状態）を発生させるか否か、表示領域の各々に本停止させる特別図柄を何れとするかなど）を決定すると共に、この決定に基づいて、演出制御装置４０に表示制御情報を出力する。
【００４８】
このとき出力される表示制御情報には、表示領域の各々に本停止させる特別図柄のデータ、変動パターンデータ等が含まれており、変動パターンデータにより、特別図柄の変動時間とそれに対応する変動パターン（通常変動、リーチ有り、リーチの種類、再抽選有り、予告有りなど）が指定されるようになっている。
【００４９】
演出制御装置４０は、遊技制御装置２０から上記表示制御情報を受け取ると、該表示制御情報に基づいて画像データを編集し、この編集した画像データを変動表示装置４に送って、変動表示装置４における表示部４ａに設定された表示領域の各々に、一連の特別図柄を順次変動表示させた後に停止させる特図の変動表示ゲームの表示を行わせる。具体的には、表示制御情報に含まれる変動パターンデータに基づいて、所定の変動パターン（通常変動、リーチ有り、リーチの種類、再変動有り、予告有り、再抽選有りなど）で所定時間、設定された各表示領域の特別図柄を変動表示させた後、表示制御情報で指定された特別図柄を各表示領域に仮停止（揺れている状態で停止）させる。
【００５０】
遊技制御装置２０では、先に出力した表示制御情報で指定した変動時間が経過したところで、変動停止を指示する表示制御情報を演出制御装置４０に出力する。演出制御装置４０では、その変動停止を指示する表示制御情報に基づいて、表示領域の各々で仮停止されている特別図柄を本停止させる表示制御を行う。
【００５１】
このとき、例えば、遊技制御装置２０において、特図の大当たり判定用の乱数値とその判定値との比較により、ハズレが決定されている場合には、各表示領域における特別図柄の停止態様がハズレの組合せ態様となって、すなわち変動表示ゲームの表示結果がハズレ結果態様となって、当該変動表示ゲームが終了となる。その後、特図始動記憶がない場合には、客待ちの状態（ステップＳ０）に遷移し、特図始動記憶がある場合には、次の変動表示ゲームの変動状態（ステップＳ１）に移行する。
【００５２】
一方、特図の大当たり判定用の乱数値とその判定値との比較により、特図の変動表示ゲームの結果が大当りとなることが決定されている場合には、変動表示ゲームの表示結果として、予め用意されている複数種の大当り結果態様のうちのいずれかが導出表示され、すなわち設定された各表示領域における特別図柄の停止態様が特定の組合せ態様（例えば、「１，１，１」などのぞろ目）となって、大当たりと呼ばれる特別遊技状態（ステップＳ２）に遷移する。
【００５３】
この大当たりは、特別変動入賞装置５の開閉扉５ａが所定時間（例えば、２９．５秒間）開放して閉じるサイクルを１ラウンドとし、各ラウンド中、遊技球が大入賞口５ｂ中の継続入賞領域の継続センサ５ｄに検出されることを条件に所定ラウンド（例えば、１５ラウンド）まで継続される遊技である。但し、各ラウンド中、大入賞口５ｂに遊技球が所定個数（例えば、１０個）入賞したときはその時点でそのラウンドを終了する。各ラウンド中、大入賞口５ｂへの入賞個数は、カウントセンサ５ｃにより検出されてＲＡＭ２１ｂに記憶され、所定個数に達すると開閉扉５ａが閉じられてそのラウンドの特別遊技状態（大当り状態）が終了する。
【００５４】
この大当たり状態が終了すると、特図始動記憶がない場合には、客待ちの状態（ステップＳ０）に遷移し、特図始動記憶がある場合には、次の変動表示ゲームの変動状態（ステップＳ１）に移行する。
【００５５】
なお、この実施の形態では、前記大当り結果態様は、当該大当り結果態様を形成した図柄の種類に対応して複数種類設定されている。具体的には、特別図柄の停止態様が「１，１，１」、「２，２，２」、「３，３，３」などのぞろ目となる特定の組合せ態様が、複数種類（ここでは１２種類）設定されている。
また、ここでは、前記複数種の大当り結果態様の各々に、通常の遊技価値が付与されることとなる通常大当り結果態様（ここでは偶数図柄のぞろ目が相当する）と、通常の遊技価値と付加遊技価値が付与されることとなる特定大当り結果態様（ここでは奇数図柄のぞろ目が相当する）のいずれかが設定されている。
そして、変動表示ゲームの表示結果が前記複数種類の大当り結果態様のうち特定大当り結果態様となったことに関連して、すなわち前記大当たり（特別遊技状態）が、特定の条件を満たした特別図柄の組合せ態様（例えば、「３，３，３」、「７，７，７」などの特定の図柄（確変図柄）が３個揃ったぞろ目）で発生したことに関連して、通常の遊技価値が付与される前記特別遊技状態の発生の他に、遊技者にとって有利な付加遊技価値が付与される特定遊技状態を発生するようになっている。
【００５６】
ここでは、付加遊技価値が付与される特定遊技状態として、前記大当たり（通常の遊技価値が付与される特別遊技状態）の終了後、その後に大当たりが所定回数（例えば、１回）発生するまで特別変動表示ゲームの変動表示時間が短縮される付加遊技価値を付与する特図時短状態が発生する。
また、この特図時短状態においては、大当たりの発生確率が通常確率（例えば、１／３５９）から高確率（例えば、７／３５９）に変換される付加遊技価値を付与する確率変動状態が発生するようになっていても良い。
さらに、この特図時短状態においては、普通変動表示ゲームの変動表示時間が短縮（例えば、３０秒から６秒へ）される付加遊技価値を付与する普図時短状態が発生するようになっていても良い。この普図時短状態によって、普通変動表示ゲームの単位時間当たりの実行可能回数が増えて、その分、普図の当たり発生回数も増加することになる。
またさらに、この普図時短状態中には、普図の当たりによる普通変動入賞装置９の開放パターンの変更制御を併せて行ってもよい。その開放パターンの変更制御としては、例えば、開閉部材９ａ，９ａの０．５秒の開放を１回から、３秒の開放を２回、或いは、５秒の開放を１回にするなどの変更制御がある。
またさらに、確率変動状態においては、普図の当たり発生確率も通常確率（例えば、確率は１／１０）から高確率（例えば、確率は５／１０）に変換されるようになっていても良い。
【００５７】
なお、変動表示ゲーム中（図３の変動状態（ステップＳ１））や特別遊技状態中（図３の大当り状態（ステップＳ２））に普通変動入賞装置（始動入賞口）９への遊技球の入賞があった場合には、所定の上限数の範囲内（ここでは４個まで）で当該始動入賞を始動記憶として記憶するようになっており、その始動記憶を始動記憶表示部２２０に表示するようになっている。
【００５８】
このときの表示態様としては、図６に示すように、遊技球が始動入賞口９に入賞すると、演出制御装置４０に含まれる始動記憶演出表示部制御手段が備える始動記憶過程表示制御手段の表示制御によって、その遊技球が始動記憶演出表示部２１０を形を変えながら徐々に上方に移動していくように始動入賞表示（演出表示）２１０Ａ（始動記憶演出表示部２１０が赤色に点灯していく）が点灯していく（図６の（ａ）及び（ｂ））。そして、キャラクタの表情が現れる始動記憶表示部２２０に達し、１番左側から順に始動記憶表示２２０Ａとして、始動記憶表示部２２０が点灯していく（図６の（ｃ）、（ｄ）、（ｅ））。この後、変動表示ゲームが終了する等、次の変動表示ゲームが開始される条件が整った場合には、変動表示ゲーム開始制御手段（ここでは、演出制御装置４０が相当する）が、１番左側（最古）の始動記憶表示のキャラクタが連設表示部２７０（始動記憶表示部２２０から連設して変動表示装置４に連なる、センターケース２００に備えられた表示部で、ここでは、矢印の形状をして、一部が変動表示装置４に掛かっている。）を経て変動表示装置４の表示部４ａに入っていく（移動する）ようなイメージで表示制御を行い、次の変動表示ゲームが開始される。
【００５９】
なお、次の変動表示ゲームが開始されて１番左側の始動記憶表示が消化される前に新たな始動入賞が発生した場合には、当該始動入賞表示は、始動記憶演出表示部２１０を移動してきた後、左側から２番目の始動記憶表示となり、当該表示部が点灯する。そして、始動記憶数が上限数の範囲内である場合（ここでは４個）は、始動記憶表示がなされるようになっている。
【００６０】
なお、ここでは、始動記憶数が上限数を超えているときに前記始動入賞口９への遊技球の入賞が検出された場合には、始動記憶演出表示部制御手段が備えるオーバーフロー演出表示実行制御手段によって、前記始動記憶演出表示部２１０においてオーバーフロー演出表示を実行するようになっている。ここでは、具体的には、始動入賞表示２１０Ａが、始動入賞口９のところから始動記憶演出表示部２１０を一旦上方に移動していき、左側から５番目のところで（前４つが詰まっているため）下方に引き返してくる表示を行うようになっている。このようにすることにより、遊技者に対して、遊技球の入賞があったことを分かり易く知らせることができると共に、当該始動入賞が始動記憶としては記憶されなかったことを分かり易く報知することができる。
【００６１】
また、ここでは、始動記憶表示部２２０において、記憶されている始動記憶が大当りとなり易いか否か及び確変状態で大当りとなりやすいか否かの信頼度を表示することが可能となっている。ここでは、大当りとなる信頼度が低い場合は、赤色で移動してきた表示が最後まで赤色のままで変化しない表示態様となる（図６の（ｃ））。また、大当りとなる信頼度は高いが確変状態となる信頼度は低い場合は、赤色で移動してきた表示が最後には黄色に変化する表示態様となる（図６の（ｄ））。さらに、大当りとなる信頼度も高く確変状態となる信頼度も高い場合は、赤色で移動してきた表示が最後には青色に変化する表示態様となる（図６の（ｅ））。
【００６２】
なお、このときの表示態様としては、始動記憶演出表示部２１０では色が変化せず、始動記憶表示部２２０で最後に色が変化するようになっていても良いし、始動記憶演出表示部２１０を移動している間に徐々に色が変化するようになっていても良い。また、最終的に赤色のままでも徐々に色が変化しながら移動するような表示態様となっていても良い。
【００６３】
この実施の形態では、変動表示ゲームの表示結果が大当りとなるか否か及び確変状態となるか否かによって、前記したような色に変化する割合を変えるようになっている。以下、図７及び図８のフローチャートを用いて説明する。
【００６４】
まず、図７に示すように、遊技制御装置（主制御装置）２０にて、始動入賞口９に遊技球が入賞したか否かの判定を行う（ステップＳ１１）。ここで、入賞がある場合には、大当りや確変を決定するための乱数の抽出及び判定処理を行う（ステップＳ１２）。
【００６５】
次に、Ｓ１２の乱数抽出判定処理の結果が、確率変動大当りか否かの判定を行う（ステップＳ１３）。ここで、当該入賞による始動記憶の変動表示ゲームの結果が確変を伴う大当りとなる場合には、遊技制御装置２０で確率変動大当りデータをセットして（ステップＳ１５）、当該始動入賞データを演出制御装置（従制御装置）４０に送信する送信処理を行う（ステップＳ１８）。
【００６６】
また、Ｓ１３で確率変動大当りでない場合は、次にノーマル大当りとなるか否かの判定を行う（ステップＳ１４）。ここで、当該入賞による始動記憶の変動表示ゲームの結果がノーマル大当りとなる場合には、遊技制御装置２０で通常大当りデータをセットして（ステップＳ１７）、当該始動入賞データを演出制御装置（従制御装置）４０に送信する送信処理を行う（ステップＳ１８）。また、当該入賞による始動記憶の変動表示ゲームの結果が外れとなる場合には、遊技制御装置２０でハズレデータをセットして（ステップＳ１６）、当該始動入賞データを演出制御装置（従制御装置）４０に送信する送信処理を行う（ステップＳ１８）。
【００６７】
それから、図８に示すように、前記大当り判定処理で送信されたデータを演出制御装置４０で受信し、当該受信データの判定を行う（ステップＳ２１）と共に始動記憶演出表示部２１０における表示態様を決定するための乱数を抽出する乱数抽出処理を行う（ステップＳ２２）。
【００６８】
そして、受信データがハズレであった場合には、始動記憶演出表示部２１０における表示態様を決定するのに、第１振り分け処理を選択する（ステップＳ２３，Ｓ２４）。
また、受信データが通常大当りであった場合には、始動記憶演出表示部２１０における表示態様を決定するのに、第２振り分け処理を選択する（ステップＳ２５，Ｓ２６）。
さらに、受信データが確変大当りであった場合には、始動記憶演出表示部２１０における表示態様を決定するのに、第３振り分け処理を選択する（ステップＳ２７，Ｓ２８）。
【００６９】
ここで、第１振り分け処理は、例えば、始動記憶表示が最終的に赤色となる確率が７０％、黄色となる確率が３０％、青色となる確率が０％となるような振り分けを行う。
また、第２振り分け処理は、例えば、始動記憶表示が最終的に赤色となる確率が３０％、黄色となる確率が６０％、青色となる確率が１０％となるような振り分けを行う。
ここで、第３振り分け処理は、例えば、始動記憶表示が最終的に赤色となる確率が１０％、黄色となる確率が３０％、青色となる確率が６０％となるような振り分けを行う。
【００７０】
このように、変動表示ゲームの結果が大当りとなる場合には、始動記憶演出表示部２１０の演出表示も大当りとなる表示がされやすく、ハズレとなる場合には、始動記憶演出表示部２１０の演出表示もハズレとなる表示がされやすいようになっている。また、確変状態となるか否かについても、変動表示ゲームの結果が確変大当りとなる場合には、始動記憶演出表示部２１０の演出表示も確変大当りとなる表示がされやすく、確変大当りにならない場合には、始動記憶演出表示部２１０の演出表示も確変大当りとならない表示がされやすいようになっている。
【００７１】
なお、ここでは、前記制御手段は、遊技を統括的に制御する主制御装置（ここでは遊技制御装置２０）と、該主制御装置から送信された制御データの受信に基づいて演出内容を決定する従制御装置（ここでは演出制御装置４０等）と、を含んでいる。そして、前記主制御装置は、前記始動入賞口への遊技球の入賞に基づき始動入賞データを従制御装置に送信する送信手段（ここではＣＰＵ２１ａに含まれる）を備え、前記従制御装置は、前記始動入賞データの受信に基づき乱数値の抽出を行い、抽出した乱数値により、始動記憶演出表示部での表示態様を決定する決定手段（ここでは演出制御装置４０のＣＰＵ（図示省略）に含まれる）を備えている。これにより、様々な制御を行う必要のある主制御装置に対する負担を軽減することができ、他の負担の少ない従制御装置で主制御装置の負担を気にせずに種々の演出表示を決定することができる。
【００７２】
以上のように、この実施の形態における遊技機によれば、始動入賞及び始動記憶に関して、従来と異なる演出表示を行う始動記憶演出表示部を備えたことにより、遊技者が飽き難く興趣性の高い遊技を行うことができる。
また、始動入賞口と始動記憶表示部が始動記憶演出表示部を介して連続しているため、初めてその機種で遊技を行う遊技者にも始動記憶表示が分かり易い遊技機とすることができる。
【００７３】
また、この実施の形態では、始動入賞口を直接見ていなくても始動記憶演出表示部を見ることにより、始動入賞口への遊技球の入賞があったことを確認することができる。また、始動記憶表示部を直接見なくても始動記憶演出表示部を見ることで始動記憶が１つ記憶されたことを確認することができる。
【００７４】
さらに、この実施の形態では、センターケースが、始動記憶表示部から連設して変動表示装置に連なる連設表示部を備えており、始動記憶表示部に表示された最古の始動記憶表示を連設表示部を経て変動表示装置へと始動記憶表示が移動するように表示することで変動表示ゲームを開始するため、より一層変動表示ゲームに対する遊技者の関心を強くさせることができ、遊技の興趣性を高めることができる。
【００７５】
またさらに、この実施の形態では、始動入賞口への遊技球の入賞のうち、始動記憶として記憶表示可能な上限数の範囲を超える分についても、始動入賞があったことは遊技者に報知することができる。これにより、遊技者が遊技状態をより正確に把握することができ、遊技の興趣を高めることができる。
【００７６】
また、この実施の形態では、主制御装置に対する負荷を軽減することができ、従制御装置で主制御装置の負担を気にせずに種々の演出表示を決定することができる。
【００７７】
加えて、始動記憶演出表示部及び始動記憶表示部を、変動表示装置を囲むように形成したため、遊技中に遊技者が主に注目する箇所を一定の範囲に集約することができ、遊技者がさほど目線を動かさずに種々の演出を楽しめる遊技機とすることができる。また、始動入賞があった際に、外側の始動記憶演出表示部及び始動記憶表示部から、中心の変動表示装置に始動入賞の記憶が伝わっていくような演出表示を行うことができ、より効果的で興趣の高い演出とすることができ、遊技者の遊技に対する期待感を高めることができる。
【００７８】
なお、ここでは、始動記憶に設定される信頼度に応じて、始動記憶演出表示部２１０及び始動記憶表示部２２０の表示色を変えたが、これに限らず、他のパターンで演出表示の変更を行っても良い。例えば、始動入賞表示が移動していく速度を変えたり、始動入賞表示を点滅させてその点滅間隔を変える等が考えられる。
【００７９】
また、本発明は、前記実施の形態のパチンコ遊技機に限られるものではなく、例えば、その他のパチンコ遊技機、アレンジボール遊技機、雀球遊技機、スロットマシンなどの遊技機にも適用可能である。さらに、今回開示された実施の形態はすべての点で例示であって制限的なものではないと考えられるべきである。本発明の範囲は前記した説明ではなくて特許請求の範囲によって示され、特許請求の範囲と均等の意味及び範囲内でのすべての変更が含まれることが意図される。
【図面の簡単な説明】
【００８０】
【図１】本発明に係る遊技機として例示するパチンコ遊技機の遊技盤を示す正面図である。
【図２】遊技制御装置及び他の装置の構成の一例を示す主要制御ブロック図である。
【図３】パチンコ遊技機の遊技状態の遷移を示す図である。
【図４】図１の遊技盤のセンターケース部分を抜き出した拡大図である。
【図５】図４のセンターケース部分の縦断面図である。
【図６】始動入賞が発生した際の始動記憶演出表示部及び始動記憶表示部の表示例を示す図である。
【図７】大当たり判定処理を示すフローチャートである。
【図８】始動記憶演出表示部表示態様決定処理を示すフローチャートである。
【符号の説明】
【００８１】
１      遊技盤
４      特別図柄表示装置（変動表示装置）
４ａ    表示部
９      普通図柄変動入賞装置（始動入賞口）
９ｂ    特図始動センサ（始動入賞球検出手段）
２０    遊技制御装置（制御手段、主制御装置）
２１ａ  送信手段
４０    演出制御装置（制御手段、従制御装置、始動記憶演出表示部制御手段、始動記憶過程表示制御手段、変動表示ゲーム開始制御手段、オーバーフロー演出表示実行制御手段）
２００  センターケース
２１０  始動記憶演出表示部
２１０Ａ  始動入賞表示（演出表示）
２２０  始動記憶表示部
２２０Ａ  始動記憶表示
２３０  表示窓部
２４０  取付基板
２５０  開口部
２６０  表示窓枠
２７０  連設表示部
【図１】
2007098169.tif 000003
【図２】
2007098169.tif 000004
【図３】
2007098169.tif 000005
【図４】
2007098169.tif 000006
【図５】
2007098169.tif 000007
【図６】
2007098169.tif 000008
【図７】
2007098169.tif 000009
【図８】
2007098169.tif 000010